(57)【要約】【課題】装置本体に設けられた表示部と、外部に接続されるモニタ装置とをそれぞれ観察する操作者に、確実に装置の状態を伝達することで、故障の誤認や不安などを抱かせてしまうことを防止することが可能な表示装置およびその表示制御方法を提供する。【解決手段】装置本体１００に設けられた表示部１０１と、外部に接続されるモニタ装置１４とに、画像データを表示するプリンタ装置１０において、プリンタ装置１０は、第１の時間を計測する第１のタイマーと、第２の時間を計測する第２のタイマーと、第１の時間内に、イベントの発生がない場合、表示部１０１およびモニタ装置１４へ表示停止を予告するスリープメッセージを出力する待機モードとし、第１の時間後であって第２の時間内に、イベントの発生がない場合、モニタ装置１４へスリープメッセージの出力を継続しつつ、表示部１０１を無表示状態にする停止モードとなる処理部とを備えている。【選択図】図１
2008250132.tif 000002
【特許請求の範囲】
【請求項１】
外部機器から入力した画像を含む各種の情報を表示する表示部と、
外部に接続されるモニタ装置に前記表示部に表示される情報を出力する画像出力部と、
第１の時間内にイベントが発生しない場合、前記表示部及び前記画像出力部に表示を停止する旨を予告するスリープメッセージを出力する待機モードとなる制御部と、を具備したことを特徴とする表示装置。
【請求項２】
前記制御部は、前記第１の時間内にイベントが発生した場合、前記イベントの内容に応じた処理を実行し、前記第１の時間の計測を再スタートすることを特徴とする請求項１記載の表示装置。
【請求項３】
前記制御部は、前記第１の時間に続く第２の時間内にイベントが発生しない場合、前記画像出力部へは前記スリープメッセージを出力しつつ、前記表示部は無表示状態である停止モードとすることを特徴とする請求項１記載の表示装置。
【請求項４】
前記制御部は、前記第２の時間内にイベントが発生した場合、前記表示部及び前記画像出力部への前記スリープメッセージの出力を解除し、前記イベントの内容に応じた処理を実行することを特徴とする請求項３記載の表示装置。
【請求項５】
操作キーを有する操作部を有し、
前記制御部は、前記第２の時間内に前記操作キーが押下された場合、前記表示部及び前記画像出力部への前記スリープメッセージの出力を解除し、前記操作キーに対応する機能は実行しないことを特徴とする請求項３記載の表示装置。
【請求項６】
前記制御部は、前記停止モード中にイベントが発生した場合、前記表示部の無表示状態を解除し、前記画像表示部への前記スリープメッセージの出力を解除し、前記イベントの内容に応じた処理を実行することを特徴とする請求項３記載の表示装置。
【請求項７】
操作キーを有する操作部を有し、
前記制御部は、前記停止モード中に前記操作キーが押下された場合、前記表示部の無表示状態を解除し、前記画像表示部への前記スリープメッセージの出力を解除し、前記操作キーに対応する機能は実行しないことを特徴とする請求項３記載の表示装置。
【請求項８】
前記制御部は、前記第１の時間を計測するタイマーを２つ有し、前記２つのタイマーの内一方のタイマーを有効化して前記第１の時間を計測し、前記第１の時間内にイベントが発生した場合、前記一方のタイマーを無効化すると共に他方のタイマーを有効化して前記第１の時間の計測を延長することを特徴とする請求項１記載の表示装置。
【請求項９】
前記モニタ装置は、テレビ受像機であることを特徴とする請求項１記載の表示装置。
【請求項１０】
前記外部機器から入力した画像は、メモリカードに格納された画像であることを特徴とする請求項１記載の表示装置。
【請求項１１】
前記外部機器から入力した画像は、デジタルカメラに格納された画像であることを特徴とする請求項１記載の表示装置。
【請求項１２】
前記外部機器から入力した画像は、パーソナルコンピュータに格納された画像であることを特徴とする請求項１記載の表示装置。
【請求項１３】
請求項１記載の表示装置と、前記入力した画像を印刷する印刷部とを具備したことを特徴とする記録装置。
【請求項１４】
外部に接続される機器から画像を入力し、
前記入力した画像を含む各種の情報を表示部に表示し、
外部に接続されるモニタ装置に前記表示部に表示される情報を出力し、
第１の時間内にイベントが発生しない場合、前記表示部及び前記モニタ装置に表示を停止する旨を予告するスリープメッセージを出力することを特徴とする表示装置の制御方法。
【発明の詳細な説明】
【技術分野】
【０００１】
本発明は、装置内部の状態を通知する状態を表示する表示装置およびその制御方法に関する。
【背景技術】
【０００２】
表示装置は、装置内部の状態を通知する状態表示や、操作された内容を通知する操作表示や、発生したエラー内容を通知するエラー表示などを、装置本体に設けられた表示部に表示することで、使いやすさを向上させている。例えば、特許文献１には、表示部として液晶デバイスを採用した表示装置を搭載したプリンタ装置が記載されている。この従来の表示装置は、装置本体の電源投入直後に、液晶デバイスに意味不明な文字が表示されることを回避することで、故障と操作者が誤認したり不安を抱いたりすることを防止するものである。
【０００３】
ところで、表示装置は、操作性や視認性の向上を目的として、装置本体に設けられた表示部に情報を表示するだけでなく、外部にモニタ装置を接続できるインタフェースを備え、大画面のモニタ装置に情報を表示することができるものも多くなっている。
【０００４】
また、表示装置は、所定時間内に、一定の操作がないときや、装置内部に状態の変化がない場合に、外部に接続されるモニタ装置への画像出力は継続するが、装置本体に設けられた表示部を無表示状態とすることで、装置本体の省電力や表示部の寿命低下の抑制を図るものが多くなっている。この無表示状態は、なんらかの操作キーを押下することを契機に、解除することができる。
【特許文献１】特開平１１−３４４９５７号公報
【発明の開示】
【発明が解決しようとする課題】
【０００５】
無表示の解除のために任意の操作キーの押下を行うと、そのキー操作は、本来の操作キーの押下が意味する動作を指示したのではなく、無表示から再表示させるための指示となる。
【０００６】
それは、表示部が無表示状態では、装置本体がどのような状態であるのか操作者には認識できず、無表示状態のときに押下した操作キーによってその操作キーが有する本来の機能が動作したのでは、無用な動作をさせてしまうおそれがあるからである。
【０００７】
しかし、モニタ装置を観察している操作者にとっては、表示部が無表示状態であるか否かは操作に支障がないので、所定動作を期待して操作キーを押下したが、単に無表示状態の解除の指示となり表示部に再表示されるだけとなってしまっては、無反応な事象に故障と誤認したり、操作に不安を抱いたりするおそれがある。
【０００８】
そこで本発明は、装置本体に設けられた表示部と、外部に接続されるモニタ装置とをそれぞれ観察する操作者に、確実に装置の状態を伝達することで、故障の誤認や不安などを抱かせてしまうことを防止することが可能な表示装置およびその制御方法を提供することを目的とする。
【課題を解決するための手段】
【０００９】
本発明の表示装置は、外部機器から入力した画像を含む各種の情報を表示する表示部と、外部に接続されるモニタ装置に前記表示部に表示される情報を出力する画像出力部と、第１の時間内にイベントが発生しない場合、前記表示部および前記画像出力部に表示を停止する旨を予告するスリープメッセージを出力する待機モードとなる制御部と、を備えたことを特徴とする。
【００１０】
また、本発明の表示装置の制御方法は、外部に接続される機器から画像を入力し、前記入力した画像を含む各種の情報を表示部に表示し、外部に接続されるモニタ装置に前記表示部に表示される情報を出力し、第１の時間内にイベントが発生しない場合、前記表示部および前記モニタ装置に表示を停止する旨を予告するスリープメッセージを出力することを特徴とする。
【発明の効果】
【００１１】
本発明によれば、表示部のみを観察している操作者だけでなく、モニタ装置のみを観察しながら操作している操作者に、表示部と同じ内容の表示を認識させることができる。よって、操作者に確実に装置の状態を伝達することで、故障の誤認や不安などを抱かせてしまうことが防止できる。
【発明を実施するための最良の形態】
【００１２】
本願の第１の発明は、外部機器から入力した画像を含む各種の情報を表示する表示部と、外部に接続されるモニタ装置に前記表示部に表示される情報を出力する画像出力部と、第１の時間内にイベントが発生しない場合、前記表示部および前記画像出力部に表示を停止する旨を予告するスリープメッセージを出力する待機モードとなる制御部と、を備えたことを特徴としたものである。
【００１３】
本体装置に設けられた表示部と、外部に接続されたモニタ装置とに表示するときに、第１の時間内にイベントの発生がない場合、表示部および画像出力部を介してモニタ装置へ表示停止を予告するスリープメッセージを出力することで、表示部のみを観察している操作者だけでなく、モニタ装置のみを観察しながら操作している操作者に、表示部と同じ内容の表示を認識させることができる。つまり、表示部を観察している操作者は元より、モニタ装置を観察している操作者においても、無操作などによって表示が停止してしまうことを理解させることができる。従って、操作者に装置の状態を確実に伝達することで、故障の誤認や不安などを抱かせてしまうことが防止できる。
【００１４】
本願の第２の発明は、前記制御部は、前記第１の時間内にイベントが発生した場合、前記イベントの内容に応じた処理を実行し、前記第１の時間の計測を再スタートすることを特徴としたものである。
【００１５】
第１の時間内にイベントが発生すると、スリープメッセージを表示せず、表示部と画像処理部とに出力を継続し、イベントの内容に応じた処理を実行することで、操作者は、従来の表示装置と変わりなく使用することができる。
【００１６】
本願の第３の発明は、前記制御部は、前記第１の時間に続く第２の時間内にイベントが発生しない場合、前記画像出力部へは前記スリープメッセージを出力しつつ、前記表示部は無表示状態である停止モードとすることを特徴としたものである。
【００１７】
第２の時間内にイベントの発生がない場合、画像出力部へスリープメッセージの出力を継続しつつ、表示部を無表示状態にすることで、装置本体の省電力化および表示部の寿命の低下の抑制を図ることができる。また、画像出力部へメッセージの出力を継続しているので、モニタ装置の故障の誤認を防止することができる。
【００１８】
本願の第４の発明は、前記制御部は、前記第２の時間内にイベントが発生した場合、前記表示部および前記画像出力部への前記スリープメッセージの出力を解除し、前記イベントの内容に応じた処理を実行することを特徴としたものである。
【００１９】
第２の時間内にイベントが発生すると、表示部および画像出力部を介して接続されるモニタ装置へのスリープメッセージの表示が解除され、イベントの内容に応じた処理を実行されるので、操作者は、従来の表示装置と変わりなく使用することができる。
【００２０】
本願の第５の発明は、操作キーを有する操作部を有し、前記制御部は、前記第２の時間内に前記操作キーが押下された場合、前記表示部および前記画像出力部への前記スリープメッセージの出力を解除し、前記操作キーに対応する機能は実行しないことを特徴としたものである。
【００２１】
表示部またはモニタ装置を観察している操作者が、スリープメッセージを解除するために操作キーを押下しても、操作キーが有する機能が実行されないので、任意の操作キーを押下することで勝手に予期せぬ機能が実行されてしまうことが防止できる。
【００２２】
本願の第６の発明は、前記制御部は、前記停止モード中にイベントが発生した場合、前記表示部の無表示状態を解除し、前記画像表示部への前記スリープメッセージの出力を解除し、前記イベントの内容に応じた処理を実行することを特徴としたものである。
【００２３】
停止モード中にイベントが発生した場合、表示部の無表示状態が解除され、画像出力部へのスリープメッセージの出力が解除され、イベントの内容に応じた処理が実行されるので、表示部を観察している操作者だけでなく、モニタ装置を観察している操作者にとっても、従来の表示装置と変わりなく使用することができる。
【００２４】
本願の第７の発明は、操作キーを有する操作部を有し、前記制御部は、前記停止モード中に前記操作キーが押下された場合、前記表示部の無表示状態を解除し、前記画像表示部への前記スリープメッセージの出力を解除し、前記操作キーに対応する機能は実行しないことを特徴としたものである。
【００２５】
表示部またはモニタ装置を観察している操作者が、無表示またはスリープメッセージを解除するために操作キーを押下しても、操作キーが有する機能が実行されないので、任意の操作キーを押下することで勝手に予期せぬ機能が実行されてしまうことが防止できる。
【００２６】
本願の第８の発明は、前記制御部は、前記第１の時間を計測するタイマーを２つ有し、前記２つのタイマーの内一方のタイマーを有効化して前記第１の時間を計測し、前記第１の時間内にイベントが発生した場合、前記一方のタイマーを無効化すると共に他方のタイマーを有効化して前記第１の時間の計測を延長することを特徴としたものである。
【００２７】
第１の時間を計測する第１のタイマーとして２つのタイマーを備え、この２つのタイマーを交互に使用する。そして、第１の時間内にイベントの発生がないときに、有効中のタイマーと、第１の時間を計測したタイマーとを比較し、一致したときのみ、表示部および画像出力部へ表示停止を予告するスリープメッセージを出力することで、イベントが発生したが、スリープメッセージを表示してしまうようなすれ違いを防止することができる。
【００２８】
本願の第９の発明は、前記モニタ装置を、テレビ受像機としたものである。
【００２９】
本願の第１０の発明は、前記外部機器から入力した画像を、メモリカードに格納された画像としたものである。
【００３０】
本願の第１１の発明は、前記外部機器から入力した画像を、デジタルカメラに格納された画像としたものである。
【００３１】
本願の第１２の発明は、前記外部機器から入力した画像を、パーソナルコンピュータに格納された画像としたものである。
【００３２】
本願の第１３の発明は、請求項１記載の表示装置と、前記入力した画像を印刷する印刷部とを具備した記録装置としたものである。
【００３３】
本願の第１４の発明は、外部に接続される機器から画像を入力し、前記入力した画像を含む各種の情報を表示部に表示し、外部に接続されるモニタ装置に前記表示部に表示される情報を出力し、第１の時間内にイベントが発生しない場合、前記表示部および前記モニタ装置に表示を停止する旨を予告するスリープメッセージを出力することを特徴としたものである。
【００３４】
本体装置に設けられた表示部と、外部に接続されたモニタ装置とに表示するときに、第１の時間内にイベントの発生がない場合、表示部および画像出力部を介してモニタ装置へ表示停止を予告するスリープメッセージを出力して待機モードとなることで、表示部のみを観察している操作者だけでなく、モニタ装置のみを観察しながら操作している操作者に、表示部と同じ内容の表示を認識させることができる。つまり、表示部を観察している操作者は元より、モニタ装置を観察している操作者においても、無操作などによって表示が停止してしまうことを理解させることができる。従って、操作者に確実に装置の状態を伝達することで、故障の誤認や不安などを抱かせてしまうことが防止できる。
【００３５】
（実施の形態１）
本発明の実施の形態１に係る表示装置を、プリンタ装置を例に、図面に基づいて説明する。まず、本実施の形態１に係るプリンタシステム全体の構成を、図１に基づいて説明する。図１は、本発明の実施の形態１に係るプリンタシステムの全体の構成を示す図である。
【００３６】
図１に示すように、プリンタシステム１は、プリンタ装置１０の装置本体１００に、パーソナルコンピュータ（以下、ＰＣと称す。）１１や、デジタルカメラ（以下、ＤＳＣと称す。）１２から、画像データを転送したり、メモリカード１３を装置本体１００に挿入して画像データを直接転送したりして、印刷するシステムである。また、プリンタ装置１０は、装置本体１００にモニタ装置１４を接続することで、装置本体１００に設けられた表示部１０１に画像データを表示させるだけでなく、表示部１０１に表示した画像データと同じ表示画面をモニタ装置１４にも表示させることができる。モニタ装置１４としては、一般的なテレビ受像機が使用できる。テレビ受像機をモニタ装置１４とするときには、装置本体１００のビデオ出力コネクタと、テレビ受像機のビデオ入力コネクタとをケーブルで接続する。また、プリンタ装置１０は、リモコンＲを備え、リモコンＲによって装置本体１００の操作が可能である。
【００３７】
プリンタ装置１０と、ＰＣ１１およびＤＳＣ１２とは、ＵＳＢ（Ｕｎｉｖｅｒｓａｌ  Ｓｅｒｉａｌ  Ｂｕｓ）方式で接続され、モニタ装置１４とはＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式や、ＰＡＬ（Ｐｈａｓｅ  Ａｌｔｅｒｎａｔｉｏｎ  ｂｙ  Ｌｉｎｅ）で接続される。
【００３８】
次に、プリンタ装置１０の構成について、図２から図４に基づいて詳細に説明する。図２は、本発明の実施の形態１に係るプリンタシステムの図１に示すプリンタ装置を示す外観図である。図３は、同プリンタ装置の構成を示すブロック図である。図４は、同制御部の構成を示すブロック図である。
【００３９】
図２に示すように、プリンタ装置１０は、Ｌサイズからハガキサイズより少し大きいワイドサイズ（１０１ｍｍ×１８０ｍｍ）までの記録紙に印刷することが可能な昇華型プリンタである。装置本体１００には、表示部１０１として、３．５インチ（約８．９ｃｍ）の液晶表示パネル（以下、ＬＣＤと称す。）と、ＬＣＤの背面側から発光して視認性を向上させるバックライトとを備えている。また、プリンタ装置１０は、動作を指示する操作キー１１０と、プリンタ装置１０の状態を示すランプ１２０が上面に設けられている。
【００４０】
操作キー１１０としては、「電源」キー１１１と、「表示切換」キー１１２と、「メニュー」キー１１３と、十字キー１１４と、「決定」キー１１５と、「戻る」キー１１６と、「プリント」キー１１７とを備えている。
【００４１】
「電源」キー１１１は、装置本体１００の電源投入および切断を指示するキーである。「表示切換」キー１１２は、表示部１０１に表示されている個々の画像データのうちの一つを大きく表示するか、サムネイル表示とするかを切り換えるキーである。「メニュー」キー１１３は、押下することでメニュー表示されるキーである。十字キー１１４は、円形状の上下左右の各部を押下することで、カーソルを移動させて選択を行うキーである。「決定」キー１１５は、十字キー１１４で選択した内容の実行を指示するキーである。「戻る」キー１１６は、前の画面へ戻るように指示するキーである。「プリント」キー１１７は、印刷を指示するキーである。
【００４２】
ランプ１２０としては、「電源」ランプ１２１と、「エラー」ランプ１２２と、「アクセス」ランプ１２３と、「プリント」ランプ１２４とを備えている。
【００４３】
「電源」ランプ１２１は、装置本体１００の電源の投入／切断状態を示したり、待機モード／停止モードを示したりするランプである。「エラー」ランプ１２２は、エラーが発生したときに点灯して操作者に報知するランプである。「アクセス」ランプ１２３は、ＰＣ１１や、ＤＳＣ１２や、メモリカード１３から画像データを転送していることを示すランプである。「プリント」ランプ１２４は、印刷中であることを示すランプである。
【００４４】
図３に示すように、装置本体１００内には、印刷部１０２と、インタフェース部１０３と、メモリカードスロット部１０４と、画像出力部１０５と、制御部１０６とが配置されている。
【００４５】
印刷部１０２は、制御部１０６からの指示により、ペーパーカセットに収納された記録紙に画像データを印刷するために、サーマルヘッド、各種のモータ、ギア群、ローラ群、およびセンサ群などを備えている。印刷部１０２には、印刷される記録紙のサイズに応じた種類のインクカセットを装着するためのスロットが設けられている。
【００４６】
インタフェース部１０３は、ＰＣ１１およびＤＳＣ１２などと接続するためのインタフェースであり、ＵＳＢポートを備えている。メモリカードスロット部１０４は、メモリカードを装着するスロットである。本実施の形態１では、メモリカードスロット部１０４として、ＳＤメモリカード（登録商標）が装着可能なものを採用しているが、他のメモリカードを装着可能なものとしてもよい。画像出力部１０５は、ビデオ出力コネクタが設けられ、制御部１０６からの表示データを、ＮＴＳＣ方式の表示信号に変換してビデオ出力コネクタから出力する。
【００４７】
図４に示すように、制御部１０６は、装置本体１００全体を統括制御するもので、処理部１０６ａと、メモリ部１０６ｂと、第１のタイマーとして機能するタイマー（Ａ）１０６ｃと、第２のタイマーとして機能するタイマー（Ｂ）１０６ｄとを備えている。この制御部１０６は、ＣＰＵ（Ｃｅｎｔｒａｌ  Ｐｒｏｃｅｓｓｉｎｇ  Ｕｎｉｔ）と、ＣＰＵを制御する制御回路と、プログラムや各種設定や表示するメッセージなどが格納されたＲＯＭ（Ｒｅａｄ  Ｏｎｌｙ  Ｍｅｍｏｒｙ）と、プログラムの作業領域として使用されるＲＡＭ（Ｒａｎｄｏｍ  Ａｃｃｅｓｓ  Ｍｅｍｏｒｙ）とで実現することができる。つまり、ＲＯＭおよびＲＡＭがメモリ部１０６ｂとして機能し、ＣＰＵがメモリ部１０６ｂであるＲＯＭに格納されたプログラムを実行することとで、印刷などの処理や、表示などの処理を行う処理部１０６ａとして機能する。
【００４８】
本実施の形態１では、プログラムを格納するＲＯＭとして、容易にアップデートできるようにフラッシュメモリが使用されている。また、格納されるプログラムは、圧縮された状態でフラッシュメモリに格納され、電源投入時の初期動作でＲＡＭ上に展開されてＣＰＵによって実行される。
【００４９】
また、所定時間を計測するタイマー（Ａ）１０６ｃおよびタイマー（Ｂ）１０６ｄは、プログラムの実行によって計測するソフトタイマーとしたり、ハードウェアで構成したハードタイマーとしたりしてもよい。このタイマー（Ａ）１０６ｃおよびタイマー（Ｂ）１０６ｄは、処理部１０６ａによって有効化され、そして処理部１０６ａによって起動されることで計測が開始される。また、タイマー（Ａ）１０６ｃおよびタイマー（Ｂ）１０６ｄは、処理部１０６ａにより、必要に応じて、停止、再起動、無効化することが可能である。
【００５０】
以上のように構成される本発明の実施の形態１に係るプリンタ装置１０の動作について、図５から図１１に基づいて説明する。図５は、本発明の実施の形態１に係るプリンタシステムのプリンタ装置が待機モードへ遷移する動作を示すフローチャートである。図６は、同プリンタ装置が停止モードへ遷移する動作を示すフローチャートである。図７は、同待機モードでの表示を示す図である。図８は、同イベントを示すテーブルである。図９は、同（Ａ）から同図（Ｄ）は、表示の一例を示す図である。図１０は、同停止モードでの表示を示す図である。図１１は、同停止モードが解除される動作を示すフローチャートである。図１２は、同停止モードが解除された場合の表示を示す図である。
【００５１】
なお、プリンタ装置１０には、図１に示すように装置本体１００にモニタ装置１４が接続されており、操作者は、ＤＳＣ１２で撮影した画像データを画面サイズの小さい表示部１０１や、表示部１０１と比較して相当大きい画面サイズのモニタ装置１４を観察しながら印刷するものとする。
【００５２】
図５に示すように、処理部１０６ａは、まず電源が投入されると表示部１０１を活性化する。つまり、処理部１０６ａは、表示部１０１のＬＣＤの表示を有効とすると共に、バックライトを点灯する（Ｓ１００）。処理部１０６ａは、タイマー（Ｂ）１０６ｄを有効化する（Ｓ１１０）。そして、タイマー（Ａ）１０６ｃを有効化する（Ｓ１２０）。タイマー（Ａ）１０６ｃまたはタイマー（Ｂ）１０６ｄを指定して有効化することで、時間を計測可能な状態になる。そして、タイマー（Ａ）１０６ｃにスリープメッセージ表示までの最大無操作時間Ｔ１（第１の時間）として１０分を指定して起動することで、時間が設定され、計測が開始される（Ｓ１３０）。このタイマー（Ａ）１０６ｃに設定される時間は、予め操作者が設定画面を操作して入力したスリープメッセージ表示までの最大無操作時間Ｔ１の値である。
【００５３】
処理部１０６ａは、タイマー（Ａ）１０６ｃの計測がスリープメッセージ表示までの最大無操作時間Ｔ１を超えてタイムアウトしたか否かを判断する（Ｓ１４０）。タイマー（Ａ）１０６ｃがタイムアウトした場合には、処理部１０６ａは、表示部１０１および画像出力部１０５へ表示停止を予告するスリープメッセージを出力して待機モードへ移行する（Ｓ１５０）。
【００５４】
例えば、操作者は、インタフェース部１０３にＰＣ１１、ＤＳＣ１２を接続したり、メモリカードスロット部１０４にメモリカード１３を装着したりして、画像データをメモリ部１０６ｂに転送し、転送した画像データを表示部１０１に出力させると共に、画像出力部１０５を介してモニタ装置１４に出力させていたとする。この状態で、スリープメッセージ表示までの最大無操作時間Ｔ１内に、詳細には後述するイベント群のうちいずれかのイベントが発生しなかった場合には、図７に示すように、例えば、「無操作が続いたので、液晶モニタをオフします。いずれかのボタンを押すと再開します。」というスリープメッセージを表示部１０１とモニタ装置１４に表示させる。これにより、表示部１０１を観察している操作者は元より、モニタ装置１４を観察している操作者においても、無操作などによって表示が停止してしまうことを理解させることができる。従って、操作者に確実に装置の状態を伝達することで、故障の誤認や不安などを抱かせてしまうことが防止できる。
【００５５】
Ｓ１４０にて、タイマー（Ａ）１０６ｃがタイムアウトしていないと判断された場合、イベントの発生の有無を判断する（Ｓ１６０）。ここで、イベントについて、図８に基づいて詳細に説明する。
【００５６】
図８に示すテーブルは、メモリ部１０６ｂに格納されている。処理部１０６ａは、Ｓ１５０における処理として、イベントが発生すると、発生したイベントがこのテーブルのイベント群に含まれているか否かを判断する。
【００５７】
イベントとしては、「内部状態の遷移」、「操作キーの押下」、「ファイル読み込み完了」、「カードスキャン完了」、「エラー発生」などがある。
【００５８】
「内部状態の遷移」は、例えば、印刷部１０２が、印刷動作を行っていないアイドル状態から印刷中へ状態が遷移したり、印刷中からページ印刷が完了して排紙する状態へ遷移したりする場合や、セットされた記録紙と種類が相違するインクカセットが装着された場合や、メモリカード１３の挿抜が発生した場合などである。例えば、画像データを複数印刷している場合には、１枚印刷するごとに、印刷枚数カウンターの表示を行う必要があるため、１枚印刷終了ごとに「内部状態の遷移」のイベントが発生する。
【００５９】
「操作キーの押下」は、装置本体１００に設けられた操作キー１１０が押下された場合や、リモコンＲが操作された場合である。「ファイル読み込み完了」は、ＤＳＣ１２などで撮影した画像データを格納したメモリカード１３をメモリカードスロット部１０４に装着して画像データのファイルを読み込み完了した場合である。「カードスキャン完了」は、メモリカード１３に格納された画像データを検索したり、メモリカードのカード情報を取得したりしたときの動作が完了した場合である。「エラー発生」は、軽微なエラーから重度のエラーまで、各種のエラーが発生した場合である。「エラー、操作ガイド、警告（通知）等のメッセージ表示中」は、エラー発生時や、操作ガイド、警告（通知）などのメッセージの表示をしている場合である。
【００６０】
このようにイベントが発生しているか否かを判断して、発生していない場合には、Ｓ１４０へ移行する。
【００６１】
イベントが発生していると判断された場合には、処理部１０６ａは、イベントの内容に応じた処理を実行する。このとき表示部１０１およびモニタ装置１４へは同じ表示内容が表示される（Ｓ１７０）。例えば、「プリント」キーが押下された場合には、選択された画像データを印刷する。その際には、図９（Ａ）に示すメッセージをメッセージが数秒間ほど一時的に表示され、消去される表示処理が行われる。また「エラー発生」としてイベントが発生した場合には、それぞれのエラーの内容に応じた画面の表示処理を行う。例えば、記録紙を収納したペーパーカセットが抜かれた場合には、図９（Ｂ）に示すように、表示部１０１に、その旨のメッセージが表示されると共に、「キャンセル」が表示される。このメッセージは、操作者にメッセージの内容を確実に伝えるため、操作者が「決定」キーを押下して表示部１０１上の「キャンセル」を消去するまで表示される応答を求めるメッセージである。記録紙を収納したペーパーカセットが抜かれた場合は、印刷部１０２に装着されたインクカートリッジの種類と、ペーパーカセットに収納された記録紙のサイズとが合致しない場合と同様に扱われるため、図９（Ｂ）に示すようなメッセージとなる。
【００６２】
また、メモリカードスロット部１０４から抜かれた場合には、図９（Ｃ）に示すようなメッセージが数秒間ほど一時的に表示され、消去される。更に、印刷中にファンモーターが故障したようなときなど、回復困難なエラーが発生した場合には、エラーを解除して、装置を再起動するまで消去されない図９（Ｄ）に示すようなメッセージの表示処理が行われる。
【００６３】
このように、イベントが発生すれば、そのイベントに応じた処理が行われる。そして、表示部１０１とモニタ装置１４とにスリープメッセージの表示が行われないため、表示部１０１とモニタ装置１４への出力は継続され、同じ内容の表示がされる。従って、操作者は表示部１０１またはモニタ装置１４のいずれかを観察しながら操作することができる。
【００６４】
図５に示すように、処理部１０６ａは、タイマー（Ａ）１０６ｃを停止させて、Ｓ１３０へ移行する（Ｓ１８０）。
【００６５】
Ｓ１５０にてスリープメッセージを表示部１０１とモニタ装置１４とに表示させ、待機モードとなった処理部１０６ａは、図６に示すように、タイマー（Ｂ）１０６ｄを起動することで、非表示実行までの最大無操作時間Ｔ２（第２の時間）が設定され、計測が開始される（Ｓ１９０）。このタイマー（Ｂ）１０６ｄに設定される時間は、予め操作者が設定画面を操作して入力した非表示実行までの最大無操作時間Ｔ２の値である。
【００６６】
処理部１０６ａは、タイマー（Ｂ）１０６ｄの計測が非表示実行までの最大無操作時間Ｔ２を超えてタイムアウトしたか否かを判断する（Ｓ２００）。タイマー（Ｂ）１０６ｄがタイムアウトした場合には、処理部１０６ａは、表示部１０１を不活性化して無表示状態とする停止モードへ遷移する。つまり、表示部１０１のＬＣＤを無効とすると共に、バックライトを消灯する（Ｓ２１０）。
【００６７】
図１０に示すように、表示部１０１を無表示状態とすることで、装置本体１００の省電力や表示部１０１の寿命低下の抑制を図ることができる。このとき処理部１０６ａは、モニタ装置１４へはスリープメッセージの表示を継続させている。これは、モニタ装置１４を観察している操作者にとって、装置本体１００が待機モードで、表示部１０１にスリープメッセージが表示されているか、停止モードで無表示状態となっているかは、問題がないためである。逆に、装置本体１００が停止モードとなるときに、モニタ装置１４へ画像出力を停止すると、操作者がモニタ装置１４の故障と誤認するおそれがあるため、スリープメッセージを継続して表示させるのが望ましい。
【００６８】
Ｓ２００にて、タイマー（Ｂ）１０６ｄがタイムアウトしていないと判断された場合、イベントの発生の有無を判断する（Ｓ２２０）。Ｓ２２０にて、イベントが発生しているか否かを判断して、発生していない場合には、Ｓ２００へ移行する。
【００６９】
Ｓ２２０にて、イベントが発生した場合には、表示部１０１とモニタ装置１４とへの出力を、スリープメッセージからスリープメッセージを出力する前の表示に戻すことで、再表示する（Ｓ２３０）。この再表示は、制御部１０６内のメモリ部１０６ｂに格納された画面メモリ領域の内容を表示部１０１および画像出力部１０５へ出力することで行われる。
【００７０】
そして、発生したイベントが「操作キーの押下」か否かを判断する（Ｓ２４０）。これは、イベント「操作キーの押下」である操作キー１１０の押下またはリモコンＲの操作は、操作者が、スリープメッセージが表示される待機モードの解除を指示したことによるものであって、本来の各操作キー１１０の押下やリモコンＲの操作が意味する動作を指示したのではないためである。従って、発生したイベントが「操作キーの押下」であるときには、イベントの内容に応じた処理を行わずに、Ｓ２６０へ移行する。
【００７１】
Ｓ２４０にて、発生したイベントが「操作キーの押下」でない場合には、イベントの内容に応じた処理を行う（Ｓ２５０）。例えば、メモリカードスロット部１０４に装着したメモリカードから、画像データのファイルを読み込み、その読み込みが完了することによるイベント「ファイル読み込み完了」が発生した場合には、表示部１０１に読み込み完了した画像データのサムネイル表示を、表示部１０１および画像出力部１０５へ出力して、操作者の入力待ちとなる。
【００７２】
このように、イベントの発生により、スリープメッセージの表示からそれぞれのイベントに応じた表示となるので、操作者は、表示部１０１またはモニタ装置１４のいずれかを観察していても、イベントに対する処理の結果を見逃すことがない。
【００７３】
そして、処理部１０６ａは、タイマー（Ｂ）１０６ｄを停止して、図５に示すＳ１３０へ移行する（Ｓ２６０）。
【００７４】
本実施の形態１では、タイマー（Ａ）１０６ｃのタイムアウトによる待機モードへの移行と、タイマー（Ｂ）１０６ｄのタイムアウトによる停止モードへの移行とは、両方とも図８に示すイベントの発生が条件であり同じ条件としているが、異なる条件としてもよい。
【００７５】
次に、停止モードにある処理部１０６ａが、停止モードを解除する場合を説明する。なお、プリンタ装置１０の状態は、図６に示すＳ２１０から無表示状態である停止モードが継続しているものとする。
【００７６】
図１１に示すように、イベントの発生待ちをする（Ｓ３００）。イベントが発生すれば、表示部１０１を活性化し再表示を行う（Ｓ３１０）。つまり、処理部１０６ａが、表示部１０１のＬＣＤの表示を有効とすると共に、バックライトを点灯させた後、制御部１０６内のメモリ部１０６ｂに格納された画面メモリ領域の内容を表示部１０１および画像出力部１０５へ出力することで、図１２に示すように、活性化と再表示とが行われる。
【００７７】
発生したイベントが「操作キーの押下」か否かを判断する（Ｓ３２０）。これは、図６に示すＳ２４０での判断と同じ理由である。Ｓ３２０にて、発生したイベントが「操作キーの押下」である場合には、再表示を行っただけでＳ１３０へ移行する。そして、発生したイベントが「操作キーの押下」でない場合には、イベントの内容に応じた処理を行って（Ｓ３３０）、図５に示すＳ１３０へ移行する。
【００７８】
このように、モニタ装置１４を観察している操作者が、スリープメッセージを解除するために、操作キー１１０を押下しても、操作キー１１０の押下を契機に開始される機能が実行されないので、任意の操作キー１１０を押下したために、所望としない機能が動作してしまうことを防止することができる。
【００７９】
（実施の形態２）
本実施の形態２に係る表示装置を、プリンタ装置を例に、図１３および図１４に基づいて説明する。図１３は、本発明の実施の形態２に係るプリンタ装置の制御部の構成を示すブロック図である、図１４は、本発明の実施の形態２に係るプリンタ装置の動作を説明するフローチャートである。
【００８０】
図１３に示すように、本実施の形態２に係るプリンタ装置は、制御部１０６に、タイマー（Ａ）として、タイマー（Ａ１）１０６ｅと、タイマー（Ａ２）１０６ｆとの２つのタイマーを備えたものである。このタイマー（Ａ１）１０６ｅおよびタイマー（Ａ２）１０６ｆには、処理部１０６ａによって有効化されることで、予め操作者が設定画面を操作して入力したスリープメッセージ表示までの最大無操作時間Ｔ１の値が設定される。そして、タイマー（Ａ１）１０６ｅおよびタイマー（Ａ２）１０６ｆは、処理部１０６ａによって起動されると計測を開始し、タイムアップすると処理部１０６ａへ通知する。また、処理部１０６ａにより無効化されることでリセットされる。
【００８１】
この２つのタイマーであるタイマー（Ａ１）１０６ｅと、タイマー（Ａ２）１０６ｆの制御について、図１４に基づいて詳細に説明する。
【００８２】
図１４に示すように、処理部１０６ａは、まず電源が投入されると表示部１０１を活性化する。つまり、処理部１０６ａは、表示部１０１のＬＣＤの表示を有効として活性化すると共に、バックライトを点灯させる（Ｓ４００）。処理部１０６ａは、タイマー（Ｂ）１０６ｄに非表示実行までの最大無操作時間Ｔ２として１分を有効化することで設定する（Ｓ４１０）。そして、タイマー（Ａ１）１０６ｅまたはタイマー（Ａ２）１０６ｆのうちいずれかを有効化するが、初回の動作なのでタイマー（Ａ１）１０６ｅを有効化する（Ｓ４２０）。
【００８３】
次に、Ｓ４２０にて、タイマー（Ａ１）１０６ｅを有効化したので、タイマー（Ａ１）１０６ｅに対して起動を行うことで、スリープメッセージ表示までの最大無操作時間Ｔ１として１０分が設定され、計測が開始される（Ｓ４３０）。タイマー（Ａ１）１０６ｅに設定される時間は、予め操作者が設定画面を操作して入力した非表示実行までの最大無操作時間Ｔ２の値である。
【００８４】
処理部１０６ａは、タイマー（Ａ１）１０６ｅの計測がスリープメッセージ表示までの最大無操作時間Ｔ１を超えてタイムアウトしたか否かを判断する（Ｓ４４０）。タイマー（Ａ１）１０６ｅがタイムアウトしていないと判断された場合、イベントの発生の有無を判断する（Ｓ４５０）。Ｓ４５０にて、イベントが発生しているか否かを判断して、発生していない場合には、Ｓ４４０へ移行する。
【００８５】
Ｓ４５０にて、イベントが発生していると判断された場合には、処理部１０６ａは、イベントの内容に応じた処理を実行する（Ｓ４６０）。このＳ４６０での実行は、図５に示すＳ１７０と同じ処理となる。
【００８６】
そして、現在、有効中のタイマーは、タイマー（Ａ１）１０６ｅであるか否かを判断する（Ｓ４７０）。この場合、有効化されているタイマーは、タイマー（Ａ１）１０６ｅであるので、Ｓ４８０へ移行する。
【００８７】
Ｓ４８０では、タイマー（Ａ２）１０６ｆが有効化される。そして、タイマー（Ａ１）１０６ｅが無効化されてＳ４３０へ移行する（Ｓ４９０）。スリープメッセージ表示までの最大無操作時間Ｔ１内にイベントが発生すれば、表示部１０１とモニタ装置１４とにスリープメッセージの表示が行われないため、表示部１０１とモニタ装置１４への出力は継続され、同じ内容の表示がされる。従って、操作者は表示部１０１またはモニタ装置１４のいずれかを観察しながら操作することができる。
【００８８】
このように本実施の形態２では、タイマー（Ａ１）１０６ｅおよびタイマー（Ａ２）１０６ｆを使用している。実施の形態１のようにタイマー（Ａ）１０６ｃのみで、時間監視を行っている。この場合、図５に示すＳ１７０にて処理部１０６ａがイベントの内容に応じた処理を行っているときに、タイマー（Ａ）１０６ｃのタイムアウトが発生してしまうことがある。このときのタイムアウトが、処理の待ち行列などに格納されると、Ｓ１８０で、タイマー（Ａ）１０６ｃを無効化することでリセットした後であっても、タイムアウトが処理部１０６ａに通知されるので、Ｓ１４０にて肯定の判断となり、イベントが発生したにもかかわらず、Ｓ１５０にてスリープメッセージが表示部１０１および画像出力部１０５に出力されてしまう。
【００８９】
本実施の形態２において、図１４に示すＳ４６０にて、処理部１０６ａがイベントの内容に応じた処理を行っているときに、タイマー（Ａ１）１０６ｅのタイムアウトが発生して、このタイムアウトが処理の待ち行列などに格納され、Ｓ４９０でタイマー（Ａ１）１０６ｅを無効化した後に、タイムアウトが処理部１０６ａに通知されたとする。この場合、Ｓ４４０にて肯定の判断となっても、Ｓ５００にて有効化されているタイマーと、タイムアウトを発生したタイマーとが同じか否かを判断している。つまり、この場合には、有効なタイマーはタイマー（Ａ２）１０６ｆであり、タイムアウトを発生したタイマーはタイマー（Ａ１）１０６ｅであるので、スリープメッセージが表示部１０１および画像出力部１０５に出力するＳ５１０の処理を実行せず、Ｓ４３０へ戻り、今度はタイマー（Ａ２）１０６ｆが起動される。Ｓ５００にて、一致するタイマーと判断された場合には、処理部１０６ａは、表示部１０１および画像出力部１０５へ表示停止を予告するスリープメッセージを出力して待機モードへ移行する（Ｓ５１０）。
【００９０】
Ｓ４４０にてタイムアウトの発生の有無を判断し、タイムアウトが発生していなければ、Ｓ４５０にてイベントの発生の有無を判断し、そしてイベントが発生してればＳ４６０にて処理部１０６ａによりイベントの内容に応じた処理を実行する。Ｓ４７０にて有効なタイマーは、タイマー（Ａ１）１０６ｅであるか否かを判断するが、Ｓ４８０にてタイマー（Ａ２）１０６ｆが有効化されたので、Ｓ５２０へ移行する。
【００９１】
Ｓ５２０では、タイマー（Ａ１）１０６ｅが有効化される。そして、Ｓ５３０にてタイマー（Ａ２）１０６ｆが無効化され、Ｓ４３０へ移行して、今度はタイマー（Ａ１）１０６ｅが起動される。
【００９２】
このように本実施の形態２では、タイマー（Ａ１）１０６ｅおよびタイマー（Ａ２）１０６ｆを交互に使用し、スリープメッセージ表示までの最大無操作時間Ｔ１内にイベントの発生がないときに、有効中のタイマーと、スリープメッセージ表示までの最大無操作時間Ｔ１を計測したタイマーとを比較し、一致したときのみ、表示部１０１および画像出力部１０５へスリープメッセージを出力することで、イベントが発生したが、スリープメッセージを表示してしまうようなすれ違いを防止することができる。
【産業上の利用可能性】
【００９３】
本発明は、操作者に、確実に装置の状態を伝達することで、故障の誤認や不安などを抱かせてしまうことを防止することが可能なので、装置本体に設けられた表示部と、外部に接続されるモニタ装置とに、それぞれ表示を行う表示装置およびその制御方法に好適である。
【図面の簡単な説明】
【００９４】
【図１】本発明の実施の形態１に係るプリンタシステムの全体の構成を示す図
【図２】本発明の実施の形態１に係るプリンタシステムの図１に示すプリンタ装置を示す外観図
【図３】本発明の実施の形態１に係るプリンタシステムのプリンタ装置の構成を示すブロック図
【図４】本発明の実施の形態１に係るプリンタシステムの制御部の構成を示すブロック図
【図５】本発明の実施の形態１に係るプリンタシステムのプリンタ装置が待機モードへ遷移する動作を示すフローチャート
【図６】本発明の実施の形態１に係るプリンタシステムのプリンタ装置が停止モードへ遷移する動作を示すフローチャート
【図７】本発明の実施の形態１に係るプリンタシステムの待機モードでの表示を示す図
【図８】本発明の実施の形態１に係るプリンタシステムのイベントを示すテーブル
【図９】本発明の実施の形態１に係るプリンタシステムの（Ａ）から同図（Ｄ）は、表示の一例を示す図
【図１０】本発明の実施の形態１に係るプリンタシステムの停止モードでの表示を示す図
【図１１】本発明の実施の形態１に係るプリンタシステムの停止モードが解除される動作を示すフローチャート
【図１２】本発明の実施の形態１に係るプリンタシステムの停止モードが解除された場合の表示を示す図
【図１３】本発明の実施の形態２に係るプリンタ装置の制御部の構成を示すブロック図
【図１４】本発明の実施の形態２に係るプリンタ装置の動作を説明するフローチャート
【符号の説明】
【００９５】
１    プリンタシステム
１０    プリンタ装置
１１    パーソナルコンピュータ（ＰＣ）
１２    デジタルカメラ（ＤＳＣ）
１３    メモリカード
１４    モニタ装置
１００    装置本体
１０１    表示部
１０２    印刷部
１０３    インタフェース部
１０４    メモリカードスロット部
１０５    画像出力部
１０６    制御部
１０６ａ    処理部
１０６ｂ    メモリ部
１０６ｃ    タイマー（Ａ）
１０６ｄ    タイマー（Ｂ）
１０６ｅ    タイマー（Ａ１）
１０６ｆ    タイマー（Ａ２）
１１０    操作キー
１１１    「電源」キー
１１２    「表示切換」キー
１１３    「メニュー」キー
１１４    十字キー
１１５    「決定」キー
１１６    「戻る」キー
１１７    「プリント」キー
１２０    ランプ
１２１    「電源」ランプ
１２２    「エラー」ランプ
１２３    「アクセス」ランプ
１２４    「プリント」ランプ
Ｒ    リモコン
【図１】
2008250132.tif 000003
【図２】
2008250132.tif 000004
【図３】
2008250132.tif 000005
【図４】
2008250132.tif 000006
【図５】
2008250132.tif 000007
【図６】
2008250132.tif 000008
【図７】
2008250132.tif 000009
【図８】
2008250132.tif 000010
【図９】
2008250132.tif 000011
【図１０】
2008250132.tif 000012
【図１１】
2008250132.tif 000013
【図１２】
2008250132.tif 000014
【図１３】
2008250132.tif 000015
【図１４】
2008250132.tif 000016